(57)【特許請求の範囲】
【請求項１】
制御信号（ｘ）に依存する出力位相（Ｐ）及び特定した周波数を具備する電気出力信号（ｓｏｕｔ）を発生する方法において、
制御信号（ｘ）に応答して、前記特定した周波数を具備しているが入力信号位相が異なる第一入力信号（ｓ１）及び第二入力信号（ｓ２）の加重重ね合わせからなる第一位相補間信号（ｓ１２）を発生し、
制御信号（ｘ）に応答して、前記特定した周波数を具備しているが入力信号位相が異なる第三入力信号（ｓ１＊）及び第四入力信号（ｓ２＊）の加重重ね合わせからなる第二位相補間信号（ｓ１２＊）を発生し、
第一入力信号（ｓ１）と第二入力信号（ｓ２）との間の位相差は第三入力信号（ｓ１＊）と第四入力信号（ｓ２＊）との間の位相差に実質的に等しく、且つ第三及び第四入力信号（ｓ１＊，Ｓ２＊）は第一及び第二入力信号（ｓ１，ｓ２）の間の位相差の実質的に半分だけ位相シフトされており、
第一補間信号（ｓ１２）の位相と第二補間信号（ｓ１２＊）の位相とが実質的に出力位相（Ｐ）に等しく、
第一及び第二補間信号（ｓ１２，ｓ１２＊）の重ね合わせとして出力信号（ｓｏｕｔ）を発生する、
ことを特徴とする方法。
【請求項２】
請求項１において、３６０゜のレンジにわたり等距離で分布されている固定的に特定された入力位相を具備する複数個の入力信号が供給され、且つ前記第一及び第二位相補間信号を発生する場合に、制御信号（ｘ）に応答して、入力信号（ｓ１，ｓ２，ｓ１＊，ｓ２＊）を選択することを特徴とする方法。
【請求項３】
先行する請求項のうちのいずれか１項において、該位相差が１２０゜であることを特徴とする方法。
【請求項４】
先行する請求項のうちのいずれか１項において、制御信号（ｘ）がデジタル信号であり且つ出力信号（ｓｏｕｔ）の位相（Ｐ）が離散的位相段において発生されることを特徴とする方法。
【請求項５】
先行する請求項のうちのいずれか１項において、加重重ね合せの場合に、第一及び第二入力信号（ｓ１，ｓ２）の常にゼロからの異なる重み及び第三及び第四入力信号（ｓ１＊，ｓ２＊）の常にゼロからの異なる重みが供給されることを特徴とする方法。
【請求項６】
請求項１において、第一位相補間信号を発生する場合に、第一補間信号（ｓ１２）を与えるために各々に第一及び第二入力信号（ｓ１，ｓ２）の内の一つが供給される複数個の調節可能なトランスコンダクタンス段からなる第一並列装置を制御信号（ｘ）により調節し、且つ第二位相補間信号を発生する場合に、第二補間信号（ｓ１２＊）を与えるために各々に第三及び第四入力信号（ｓ１＊，ｓ２＊）の内の一つが供給される複数個の調節可能なトランスコンダクタンス段からなる第二並列装置を制御信号（ｘ）により調節する、ことを特徴とする方法。
【請求項７】
制御信号（ｘ）に依存する出力位相（Ｐ）及び特定した周波数を具備する電気出力信号（ｓｏｕｔ）を発生する回路装置において、
制御信号（ｘ）に応答して、前記特定した周波数を具備しているが入力信号位相が異なる第一入力信号（ｓ１）及び第二入力信号（ｓ２）の加重重ね合わせから第一位相補間信号（ｓ１２）を発生する第一位相補間器手段が設けられており、
制御信号（ｘ）に応答して、前記特定した周波数を具備しているが入力信号位相が異なる第三入力信号（ｓ１＊）及び第四入力信号（ｓ２＊）の加重重ね合わせから第二位相補間信号（ｓ１２＊）を発生する第二位相補間器手段が設けられており、
第一入力信号（ｓ１）と第二入力信号（ｓ２）との間の位相差は第三入力信号（ｓ１＊）と第四入力信号（ｓ２＊）との間の位相差と実質的に等しく、且つ第三及び第四入力信号（ｓ１＊，ｓ２＊）は第一及び第二入力信号（ｓ１，ｓ２）間の位相差の実質的に半分だけ位相シフトされており、
第一補間信号（ｓ１２）の位相及び第二補間信号（ｓ１２＊）の位相は出力位相（Ｐ）に実質的に等しく、
出力信号（ｓｏｕｔ）を発生するために第一及び第二補間信号（ｓ１２，ｓ１２＊）が重ね合わされる加算器が設けられている、
ことを特徴とする回路装置。
【請求項８】
請求項７において、前記第一位相補間手段が、各々が制御信号（ｘ）に応答し且つ実質的に出力位相（Ｐ）を具備する第一補間信号（ｓ１２）を与えるために各々に対して第一及び第二入力信号（ｓ１，ｓ２）の内の一つが供給される複数個の調節可能なトランスコンダクタンス段からなる第一並列装置を有しており、且つ、前記第二位相補間手段が、各々が制御信号（ｘ）に応答し且つ実質的に出力位相（Ｐ）を具備する第二補間信号（ｓ１２＊）を与えるために各々に対して第三及び第四入力信号（ｓ１＊，ｓ２＊）の内の一つが供給される複数個の調節可能なトランスコンダクタンス段からなる第二並列装置を有している、ことを特徴とする回路装置。
【発明の詳細な説明】
【技術分野】
【０００１】
本発明は、特定した周波数を有しているが異なる入力信号位相を有している幾つかの入力信号の加重重ね合せにより制御信号に依存する位相を具備する周期的電気信号を発生する方法に関するものであって、その際に、該加重重ね合せは、各々が制御信号により調節され且つその各々に対して該入力信号のうちの１つが供給される調節可能なトランスコンダクタンス段の並列配置に対して適用される。
【０００２】
更に、本発明はこのような方法を実施するための回路装置に関するものである。
【０００３】
このような信号発生は、例えば、いわゆるクロック信号の回復において使用することが可能である。
【背景技術】
【０００４】
このような方法及びこのような回路装置は、例えば、Ｙｕｅｍｉｎｇ  Ｊｉａｎｇ及びＡｌｅｓｓａｎｄｒｏ  Ｐｉｏｖａｃｃａｒｉによる「３．１２５Ｇ並直列変換回路適用用コンパクトな位相補間器（Ａ  ｃｏｍｐａｃｔ  ｐｈａｃｅ  ｉｎｔｅｒｐｏｌａｔｏｒ  ｆｏｒ  ３．１２５Ｇ  Ｓｅｒｄｅｓ  Ａｐｐｌｉｃａｔｉｏｎ）」、ＳＳＭＳＤ２００３、ＩＥＥＥ、２４９乃至２５２頁、２００３の文献から既知である。
【０００５】
この既知の方法の場合に、この刊行物の図３に示されるように、１２個の入力信号が初期的に固定した所定の周波数で発生されるが、その入力位相は３６０゜のレンジにわたり等距離で分布されている。次いで、それらの位相に関して互いに隣接している２つの入力信号が選択され且つ特定した周波数及びこれら２つの選択した入力信号の入力位相の間に存在する位相を具備する所望の出力信号を発生するために「微細補間」に露呈される。
【０００６】
この位相補間のために使用されるスイッチング装置は該刊行物の図５に例示されており且つ該２つの選択した入力信号の加重重ね合せを介して出力信号を発生するための調節可能なトランスコンダクタンス段（トランジスタ対）からなる並列配置を有しており、その場合にデジタル／アナログ変換器により出力される調節電流が該トランスコンダクタンス段の各々へ適用され、且つ該２つの入力信号のうちの更なる１つが該トランスコンダクタンス段へ指向される（トランスコンダクタンス入力電圧として）。この装置の場合には、デジタル／アナログ変換器は、該トランスコンダクタンス段により実施される該２つの入力信号の加重重ね合せに対する加重係数を供給する。該トランスコンダクタンス段により供給される電流は一緒にされ（重ね合され）且つ抵抗負荷を横断して共に案内され、従って究極的に、所望の出力信号が電圧降下として該抵抗負荷において供給される。８ビットでのサーモメータ（ｔｈｅｒｍｏｍｅｔｅｒ）即ち温度計コーディングにおいてのデジタル・アナログ変換器へ供給される制御信号は、該２つのトランスコンダクタンス段の全バイアス電流を８：０、７：１、６：２、５：３、４：４、３：５、２：６、１：７又は０：８（制御信号の状態に依存する）の比で分割させる。
【０００７】
この既知の位相補間は多数の欠点を有している。
【０００８】
第一の欠点は、出力信号の位相とトランスコンダクタンスバイアス電流（調節電流）の設定との間の相関が線形的ではないことである。この非線形性は、補間において使用される２つの入力信号の間の位相差が増加すればする程増加する。このことは、円の中心を介して描かれ且つ角度に関して近似的に等距離であるに過ぎない点において該円の円弧と交差する該円のセカント即ち割り線において等距離に位置されている細分化点を介して描かれた直線を有している円を例として使用して例示することが可能である（この問題は図２を参照して以下に再度説明する）。
【０００９】
位相補間の線形性は、該複数個の入力信号のより大きな数の入力信号を供給することにより簡単な方法で改善することが可能である。しかし、実際には、このことは、必要とされる回路装置の複雑性の量に起因して、ある点まで可能であるに過ぎない。
【００１０】
実際上しばしば経験される更なる主要な問題は、並列に配置されているトランスコンダクタンス段がより大きな又はより少ない範囲に互いに影響を与え出力位相のかなりの変造を発生させることとなるという事実から発生するものである。特定の問題は、この変造の範囲は関与する２つの入力信号の「加重比」に依存する。特に、この範囲は「中間の加重」（例えば４：４）と比較して「極端な加重（例えば８：０及び０：８）」に対して異なる。前述した刊行物の図５に例示されている回路トポロジィの場合には、トランスコンダクタンストランジスタのゲート端子とドレイン端子との間の寄生容量はこの不利益な効果に寄与するものである。ドレイン電位はこの容量結合を介してゲート電位によって多かれ少なかれ影響され、それによりその影響の範囲はゲート電位とドレイン電位との間の位相差に依存する。
【発明の開示】
【発明が解決しようとする課題】
【００１１】
上述した種類の電気出力信号を発生するための態様を特定し、それによりより高い線形性条件を充足することを可能とすることが本発明の目的である。
【課題を解決するための手段】
【００１２】
この目的は、第一入力信号の第一入力信号位相と位相差だけより大きな第二入力信号の第二入力信号位相との間に存在する位相を有する出力信号を発生する場合に、第一入力信号及び第二入力信号及び付加的に２つの更なる入力信号を加重させた態様で重ね合せ、それにより該２つの更なる入力信号が該位相差だけ異なる位相を有しており且つ第一及び第二入力信号に関して該位相差の半分だけ位相シフトされていることを特徴とする方法により実質的に解決される。
【００１３】
更に、上の目的は、第一入力信号の第一入力信号位相とある位相差だけより大きな第二入力信号の第二入力信号位相との間に存在するある位相を有する出力信号を発生する場合に、第一入力信号及び第二入力信号及び２つの更なる入力信号を加重させた態様で重ね合せ、それにより該２つの更なる入力信号が該位相差だけ異なる位相を有しており且つ該第一及び第二入力信号に関して該位相差の半分だけ位相シフトされていることを特徴とする回路装置により充足される。
【００１４】
このようなものとして又は結合して使用することが可能な本発明の有益的な更なる展開について以下に説明する。
【００１５】
本発明の場合には、２個の位相補間器が並列的に配列され、そうであるから、その場合に該補間器のうちの一方の入力信号の位相位置が他方の補間器の入力信号の位相の間の中間に存在しており、そのことは該２つの補間器の非線形性が少なくとも部分的に互いに補償するという効果を有している。第一入力信号と第二入力信号との間での補間期間中に「極端な加重」が実施される場合には、該２つの更なる入力信号の間の補間に対する結果は「中間の加重」であり且つその逆も又は真である。
【００１６】
要するに、本発明は、特に、第一及び第二入力信号の間の位相差が比較的大きな場合であっても、高い線形性を有する出力信号の出力位相を達成することが可能である電気出力信号の発生を可能とする。
【発明を実施するための最良の形態】
【００１７】
図１は１つの例として両方が形状において正弦波的である２つの信号ｓ１，ｓ２の時間ｔに関しての進展を示している。これら２つの信号ｓ１，ｓ２の信号値ｓは値−１と＋１との間で変動する。
【００１８】
図２はこのような信号の進展に対して通常使用される極座標における同一の周波数を有する２つの信号ｓ１，ｓ２を示している。この線図においては、信号ｓ１，ｓ２の各々は標準円内のポインタにより示されている。時間が進む間に、これらのポインタは両方共時計方向に回転する。この線図における信号ｓ１，ｓ２の間の位相差は２つのポインタの間の角度に対応している（ここでは９０゜）。
【００１９】
図３は信号ｓ１２（ｘ）の発生を表わしており、それは以下において入力信号と呼称する信号ｓ１，ｓ２と同一の周波数を有するものであるが、入力信号ｓ１，ｓ２の２つの位相の間に存在する位相であって制御信号ｘにより特定される位相を有している。
【００２０】
このような入力信号ｓ１，ｓ２の加重加算に基づく（位相補間）は図２のポインタ線図に図示されている。入力信号ｓ１，ｓ２の各々は、既に入力信号として存在している夫々の信号が加重加算期間中に１００％の重みで包含されている場合には、位相補間器の出力において得ることが可能であることは明らかである。その他の加重の場合には（又は制御信号ｘの状態）、出力信号ｘ１２（ｘ）が得られ、その場合の図２のポインタ線図におけるポインタは入力信号ｓ１，ｓ２のポインタ端部の間のセカント即ち割線上に存在している。図２において、例えば、３つのこのような出力信号が３：１、２：２、１：３の加重比に対する結果であるセカント上の対応するドットにより示されている。この表示から、「セカント上の等距離の加重ステップ」とその結果得られる出力信号の位相ステップとの間の相関は線形ではないことを理解することが可能である。角度ステップは等しい寸法のものではない。
【００２１】
図４はＹｕｅｍｉｎｇ  Ｊｉａｎｇ及びＡｌｅｓｓａｎｄｒｏ  Ｐｉｏｖａｃｃａｒｉによる前述した文献から既知の位相補間器の回路技術実現例を示している（該文献の図５も参照）。
【００２２】
デジタル／アナログ変換器、並列に配置されている２個のトランスコンダクタンス段及びこれらのトランスコンダクタンス段により駆動される抵抗負荷Ｒを有する回路装置の動作モードについては既に上に説明したが、この段階において以下のことを付加しておくと、図４の下側部分に図示した８個の電界効果トランジスタは同一の構成のものであり且つ定電流源を構成しており、そのレーティング（電流）はこれらの電流源トランジスタの全ての制御接続部（ここでは、ゲート端子）へ印加される調節電位Ｖｂｉａｓによって固定的に特定される。制御信号ｘは８個のトグルスイッチを駆動するための８ビットを有するサーモメーターコード化されたデジタル信号であり、該スイッチは、夫々、電流源から供給される電流を調節電流として左側又は右側（図中において）トランスコンダクタンス段（トランジスタ対）のいずれかへ指向させる。トグルスイッチとして図示した要素は実際上はトランジスタ装置として実現されるべきである。更に、２つの信号ｓ１，ｓ２のうちの１つが、夫々、実際の入力信号として該トランスコンダクタンス段へ供給される。これらの信号ｓ１，ｓ２は、ここでは、差動信号として供給される。ここでは各々が１つのチャンネル端子を形成すべく結合された１対の電界効果トランジスタの形態におけるトランスコンダクタンス段の例示した実現例においては、２つの信号電位ｓ１＋，ｓ１−（信号ｓ１に対して）及び２つの信号ｓ２＋，ｓ２−（信号ｓに対し）がゲート端子へ印加される。信号電位ｓ１＋，ｓ２＋により作用される該トランジスタのドレイン端子は相互接続されており且つ第一出力電位ｓ１２＋を供給するための第一出力端子を形成している。信号電位ｓ１−，ｓ２−により作用される該トランジスタのドレイン端子は相互接続されており且つ第二出力信号ｓ１２−を供給するための第二出力端子を形成している。制御信号ｘの状態に依存する出力信号ｓ１２（ｘ）も差動信号であり且つ電位ｓ１２＋及びｓ１２−の差に対応している。
【００２３】
図２に例示した補間例と対比して、図４の位相補間器は全部で９個の補間状態（出力位相）を駆動するために使用することが可能である。このことは極端な加重を実施することを可能とし、その場合に、該電流源によって供給される個々の電流の殆ど全て又は全てを該２つのトランスコンダクタンス段のうちの１つへスイッチさせることが可能であり、又は中間の加重を実施することを可能とし、その場合には電流は両方のトランスコンダクタンス段にわたってより均一に分布される。
【００２４】
最初に既に説明したように、この回路装置は取扱い困難であり非線形性の位相依存性となり、そのことは、特に、実効寄生容量に対するトランスコンダクタンスの比が制御信号ｘにより設定される加重係数と共に変化することに起因している。この問題は以下に説明する図５及び６においてより詳細に明らかなものとなり、これらの図を使用してこの問題を本発明に基づいて除去することが可能な態様について説明する。
【００２５】
図５は図２に対応するポインタ線図であって、その場合には説明の便宜上ポインタの端点のみが示されている。
【００２６】
図２に示した例と対比して、２つの入力信号ｓ１，ｓ２は、ここでは、１２０゜の位相差を有している。この場合には、所望の出力信号の発生は全部で６個の入力信号である複数個の入力信号が供給されることにより開始し、それらの位相は０゜、６０゜、１２０゜、１８０゜、２４０゜、３００゜である。以下において、説明の便宜上、０゜乃至１２０゜のレンジにおける位相を有する制御信号ｘに依存して出力信号ｓｏｕｔ（ｘ）の発生のみについて説明する。異なる位相を有する出力信号は以下に説明する補間のための基礎として他の入力信号の選択に続いて同様の態様で発生される。この点に関して、ｓ１（０゜において）及びｓ２（１２０゜において）の図５に示した角度関係は適切な補間に先行する「粗い補間」に対応している。図示例において、このことは、例えば、１２０゜乃至２４０゜のレンジにおける出力信号を発生するためには、信号ｓ１及びｓ２は１２０゜及び２４０゜にあることを意味している。
【００２７】
当該技術において既知の補間方法をｓ１とｓ２との間のセカント上で全部で９個の補間状態を有する中黒ドットにより図５に例示してある。
【００２８】
図６は制御信号ｘの関数として制御位相をＰをプロットすることにより入力信号ｓ１とｓ２との間の補間の図５に例示した場合を示している。図４に基づく回路装置の補間が実施されると、制御信号ｘの値は電流源の数に対応し、その電流は図４においては右側にあるトランスコンダクタンス段へ指向される。
【００２９】
図示例において、値ｘが０から８へ相次いで変化されると、このことは、図５のポインタ線図において、ｓ１から矢印の方向にｓ２まで中黒ドットを介して通過することに対応している。
【００３０】
図６における中黒ドットは、そのようにして発生された出力位相が破線として描かれた「理想的な位相」からのシステマチックな逸れを有することを例示している。この構成の場合には、位相の具体的な値は使用されるトランスコンダクタンス段のタイプに依存し且つここでは１例として描かれている。然しながら上述したように、例えば０又は８等の極端な制御信号に対する逸れの範囲は常に例えば４等の中間の制御信号の場合と比較してかなり異なるものである。
【００３１】
位相特性を線形化するための本発明に基づくソリューションは、加重させた態様で入力信号ｓ１，ｓ２を互いに重ね合わせることに加えて、２つの更なる入力信号を包含させてこれら２つの更なる入力信号の間で同時的に補間を行わせその補間の結果を第一補間の結果へ加算させる。換言すると、本発明に基づく補間においては２対の入力信号が包含される。図５の例においては、０乃至４のレンジにおける制御信号値ｘに対する２つの付加的な入力信号が信号ｓ１＊1及びｓ２＊1であり、一方４乃至８のレンジにおける制御信号値ｘの場合には、付加的な入力信号ｓ１＊2及びｓ２＊2が使用される。これらは供給される複数個の入力信号からの入力信号である。それらは位相３００゜、６０゜、１８０゜に位置されている。
【００３２】
これらの付加的な入力信号ｓ１＊1及びｓ２＊1と付加的な入力信号ｓ１＊2及びｓ２＊2との間の更なる補間を実施するために、全部で９個の補間状態が夫々与えられ、そのことは、又、図４に示した回路装置を使用して与えることも可能である。更なる補間のために使用される状態は図５における中空ドットにより示されており、それらは、制御値ｘが０から８へ変化される場合に、矢印ａ′の方向に通過される。
【００３３】
制御信号値ｘ＝４の場合には、付加的な対の入力信号がｓ１＊1及びｓ２＊1又はｓ１＊2及びｓ２＊2であるか否かは問題ではなく、というのは両方の場合において、６０゜の位相に対する対応する値は更なる補間により達成することが可能だからである（この場合においては、更なる６０゜の入力信号のみが重みを有しており、一方３００゜又は１８０゜入力信号は有していない）。
【００３４】
図６は更なる補間の補間結果を表示する中空ドットを示している。点線で示されている理想的な位相からの位相Ｐの逸れの範囲は第一補間の対応する範囲と正に反対であることを理解することが可能である（先の入力信号に関連して付加的な入力信号の位相位置に起因して）。従って、並列的に実施される２つの補間の付加的な重ね合せは個別的な非線形性の補償をもたらす（及び破線上にほぼ存在する出力位相Ｐ）。
【００３５】
この線形化方法を実現するのに適したスイッチング装置を図７のブロック線図に示してある。入力信号ｓ１，ｓ２の間の補間に加えて（信号ｘにより制御される）、更なる補間が２つの信号ｓ１＊，ｓ２＊の間で実施される（信号ｘ＊により制御される）。このことは補間信号ｓ１２（ｘ）及びｓ１２＊（ｘ＊）を発生し、それらは出力信号ｓｏｕｔ（ｘ）を得るために加算され、その場合に個別的な補間の加重に依存する変造が補償される。
【００３６】
更なる補間のために必要とされる制御信号ｘ＊（加重パラメータ）は、簡単な方法で制御信号ｘから得ることが可能である。図５に例示した例の場合で且つ位相Ｐを有する出力信号が０゜乃至１２０゜のレンジにおいて発生される場合に、使用すべき入力信号、制御信号ｘ及びｘ＊及び出力位相Ｐの位相に対して以下の例の値を与えることが可能である。
【００３７】
【表１】
0004718514.tif 000002
【００３８】
該表に与えられた値は、勿論、例としてのみ理解されるべきものである。特に複数個の入力信号の数及び位相位置及び可能な補間ステップの数は異なるものとすることが可能である。
【００３９】
説明した改良型補間方法は、又、図４に示したタイプの２つの位相補間器を使用することにより実現することも可能であり、それらは並列的にスイッチされる。
【００４０】
更なる展開において、トランスコンダクタンス段の使用に関して、複数個の入力信号により定義される多角形（図５において三角形）の「角部」における特に問題の補間状態が回避されることが意図されている。この目的のために、例えば、常にゼロからの加重重ね合せの場合に、第一及び第二入力信号及び２つの更なる入力信号に対し異なる加重が与えられることが意図されている。更に又は代替的に、加重重ね合せの場合に、入力される制御信号とは独立的に、２つの入力信号及び／又は２つの更なる入力信号に対しある「最小の加重」を与えることが可能である。例えば、図５において、この措置は、例えば、それらの相互の距離の半分だけ多角形線に沿って描かれた補間ドットをシフトさせることに対応する場合がある。多角形の角部の区域において特に大きなものである変造は最初から回避されることとなる。
【００４１】
この更なる展開の回路技術的実現例を図８に例示してある。この回路装置は、基本的に、図４に示したタイプの２つの位相補間器の並列配置に対応している。然しながら、単なる並列配置と対比して、基本的な差異は、該２つの位相補間器の各デジタル／アナログ変換器は２つの電流源を有しており（図８において各場合において最も右側）、それらは他方の電流源と比較して電流の半分を供給するに過ぎず、１つの場合においては、２つのトランスコンダクタンス段のうちの一方に対して永久的に且つ他の場合においては２つのトランスコンダクタンス段のうちの他方に対して永久的なものであるという点に存在している。制御信号ｘ及びｘ＊夫々により発生される電流供給のスイッチオーバーは残りの電流源へ適用するに過ぎない（この場合には７個のみ）。
【図面の簡単な説明】
【００４２】
【図１】同一の周波数であるが異なる位相の２つの入力信号に対する時間経過線図を示した概略図。
【図２】図１の２つの入力信号に対するポインタ線図を示した概略図。
【図３】出力信号の位相が制御信号により特定される場合の２つの入力信号の間の補間により出力信号を発生する位相補間器を示したブロック図。
【図４】当該技術において既知の位相補間器の回路技術的実現例を示した概略図。
【図５】第一実施例に基づく本発明を例示したポインタ線図を示した概略図。
【図６】第一実施例に対する出力信号の位相と制御信号との間の相関を例示した概略図。
【図７】第一実施例の動作モードを例示したブロック図。
【図８】本発明の第二実施例に基づく位相補間器の回路技術実現例を示した概略図。
【図１】
0004718514.tif 000003
【図２】
0004718514.tif 000004
【図３】
0004718514.tif 000005
【図４】
0004718514.tif 000006
【図５】
0004718514.tif 000007
【図６】
0004718514.tif 000008
【図７】
0004718514.tif 000009
【図８】
0004718514.tif 000010